(57)【要約】      （修正有）【課題】  防護柵を設置する時の、支柱とブラケットの固定作業が非常に容易で、特に、作業者の指でナットの位置決定と保持や、ブラケットの保持といった、非常に大変で困難な作業を省略し、作業効率を飛躍的に改善することが可能なブラケットを提供する。【解決手段】ブラケット２は、ビームを挿入して固定保持可能な略筒状体になっており、ボルトを通してブラケットを支柱に固定する固定孔４と、固定孔４と相対して長手方向に延びるスリット１０と、ブラケットの一部を切り欠いた開口部８と、固定孔４と開口部８とを結ぶ導入路６とからなっている。開口部８は、螺合したボルト及びナットが通過可能な形状を有し、導入路６は、ボルトが通過可能な形状を有し、固定孔４はナットの段差部と適合する形状を有している。【選択図】図１
2006241864.tif 000002
【特許請求の範囲】
【請求項１】
防護柵を構成する支柱とビームを相互に連結固定するためのブラケットであり、該ブラケットは該ビームを挿入できる内径の略筒状体からなり、該ブラケットを該支柱にボルト・ナットによって固定するボルト挿通用の固定孔と、該固定孔の対向位置に該ブラケットの中心軸と略平行に設けられたスリットと、該ブラケットの一部を切り欠いた開口部と、該固定孔と該開口部とを結ぶ導入路と、挿入されたビームの端部を固定するためのビーム用固定孔を備え、該導入路は該ブラケットの周方向に設けられていることを特徴とする防護柵用ブラケット。
【請求項２】
前記開口部は、螺合したナットがボルトの先端部とともに通過可能な大きさ及び形状を有し、前記導入路は、ボルトの螺子部が通過可能な幅を有していることを特徴とする請求項１に記載の防護柵用ブラケット。
【請求項３】
前記固定孔は楕円形状をしており、前記ブラケットを前記支柱に取り付けるボルト・ナットの該ナットの一方の端部には段部が設けられ、該段部は該固定孔に嵌合する大きさ及び形状の楕円形状をしていることを特徴とする請求項１又は２に記載の防護柵用ブラケット。
【請求項４】
前記固定孔の長径が前記ブラケットの軸方向と略平行になっており、前記導入路の幅は、前記固定孔の長径より狭くなっていることを特徴とする請求項３に記載の防護柵用ブラケット。
【請求項５】
前記ブラケットは、略板状の平坦部と、該略板状の面の相対する縁部から一方の側に延びた一対の対向する側部とからなり、前記固定孔及び導入路は該平坦部に設けられ、前記開口部は側部の該平坦部に偏った部位に設けられていることを特徴とする請求項１〜４のいずれかに記載の防護柵用ブラケット。
【発明の詳細な説明】
【技術分野】
【０００１】
本発明は、車道と歩道の区画や、道路から川・水路への転落防止を目的として設置される防護柵の、支柱とビームの連結に使用されている防護柵用ブラケットに関するものである。
【背景技術】
【０００２】
この種の防護柵としては支柱とビームを連結して形成されたものがあり、支柱とビームの連結にはブラケットと呼ばれる連結用部材を使用する例が多い。図９は、従来使用されていた防護柵用ブラケットを示した説明図である。
【０００３】
この防護柵用ブラケットは、図９に示すように、ビームを挿入して固定保持可能な略筒状体になっている。ブラケット２８は、略板状の平坦部２８ａと、平坦部２８ａの相対する縁部から一方の側にやや開いた状態で延びる側部２８ｂ，２８ｂとからなり、側部２８ｂ，２８ｂの先端は当接せず、スリット１０になっている。平坦部２８ａにはこの防護柵用ブラケット２８を支柱にボルト・ナットで固定するボルト挿通用の固定孔４が設けられ、側部２８ｂ，２８ｂにはビームを固定するためのビーム用固定孔１２が設けられている。ブラケット２８の平坦部２８ａの側の両角部は斜めに切り欠かれている。
【０００４】
この防護柵用ブラケット２８は支柱（図示せず）に固定され、この固定されたブラケット２８にビーム（図示せず）を固定する方法で支柱にビームが連結される。支柱に防護柵用ブラケット２８を連結・固定する手順は次の通りである。
【０００５】
まず、両手でブラケット２８を持ち、支柱の貫通孔とブラケット２８の固定孔４の位置を一致させ、その状態のまま、どちらか一方の手でブラケット２８を保持し、他方の手の指２本でナット（図示せず）を摘み、ナットをブラケット２８内に挿入する。そして、ブラケット２８の固定孔４とナットの螺子穴の位置が一致するように指の先でナットを移動させ、同時に、この指の側の手でブラケット２８を支柱に押しつけてブラケット２８を支柱のその位置に保持する。
【０００６】
次に、ブラケット２８を保持していた他の手を離してボルト（図示せず）を掴み、このボルトを支柱の貫通孔に通し、更にこの防護柵用ブラケット２８の固定孔４に通す。ボルトの先端は防護柵用ブラケット２８の固定孔４を通ってナットの螺子穴に当接するので、そのままボルトを回してボルトとナットを螺合させ、締結させて、支柱にブラケット２８を固定する。
【発明の開示】
【発明が解決しようとする課題】
【０００７】
しかし、ブラケット２８は、一般的に支柱又はビームと同じ鋼材で形成されているため、形状や構造によって差異はあるものの、それなりの重量を有している。上記したように、ブラケット２８内で固定孔４とナットの螺子穴の位置を指で一致させたまま、ブラケット全体も保持することは、作業者にとって非常に大変且つ面倒な作業である。
【０００８】
また、ブラケット２８の重さによって保持している手がぶれたりすると、ナットの螺子穴の位置や、ブラケット２８の位置がずれてしまい、再度位置調整しなければならず、非常に作業効率が悪いという問題も有していた。
【０００９】
また、ブラケット２８内に指を挿入するため、ブラケット２８にはある程度の出幅が必要となっていた。しかし、ブラケット２８に出幅を設けると、支柱とビームの間隔が広がり、防護柵の設置スペースが大きくなってしまうという問題がある。特に、歩道側にビームを設けると、歩道が狭く感じてしまうという問題も有していた。
【００１０】
また、通常の防護柵の設置作業は、作業者が軍手を装着して行っている。しかし、軍手を装着すると、ボルト及びナットを掴むのが非常に困難である。また、ナットの螺子穴と固定孔を一致させるには、作業者の指先の感覚が重要になるが、軍手を装着すると指先の感覚が鈍ってしまい、位置決定が困難であるという問題を有していた。
【００１１】
素手で作業を行うこともあったが、素手の作業は怪我のおそれがあり、好ましくない。更に、冬等の寒冷時には、ブラケット２８が冷えて素手で持つことが不可能であったり、指先が悴んで思うように作業が行えなかったりする等の問題も生じていた。
【００１２】
また、上記したナットやブラケット２８の位置決定や保持を容易にするといった提案や発明があるが、ブラケット２８に何らかの部材を設けたり、新たな構造にすると、ブラケット２８の製造コストが高くなってしまうという問題が生じてしまう。
【００１３】
以上のことから、支柱へのブラケット２８の固定作業が非常に容易で、特に、ブラケット２８内のナットの位置決定と保持、ブラケット２８の保持といった作業者にとって困難な作業を省いて作業効率を良好にし、ブラケット製作が非常に容易なブラケットの開発が望まれていた。
【課題を解決するための手段】
【００１４】
上記課題を解決するために、本発明に係る防護柵用ブラケットは、防護柵を構成する支柱とビームを相互に連結固定するためのブラケットであり、該ブラケットは該ビームを挿入できる内径の略筒状体からなり、該ブラケットを該支柱にボルト・ナットによって固定するボルト挿通用の固定孔と、該固定孔の対向位置に該ブラケットの中心軸と略平行に設けられたスリットと、該ブラケットの一部を切り欠いた開口部と、該固定孔と該開口部とを結ぶ導入路と、挿入されたビームの端部を固定するためのビーム用固定孔を備え、該導入路は該ブラケットの周方向に設けられていることを特徴とする。
【００１５】
また、前記開口部は、螺合したナットがボルトの先端部とともに通過可能な大きさ及び形状を有し、前記導入路は、ボルトの螺子部が通過可能な幅を有しているのが好ましい。
【００１６】
また、前記固定孔は楕円形状をしており、前記ブラケットを前記支柱に取り付けるボルト・ナットの該ナットの一方の端部には段部が設けられ、該段部は該固定孔に嵌合する大きさ及び形状の楕円形状をしているのが好ましい。
【００１７】
また、前記固定孔の長径が前記ブラケットの軸方向に略平行になっており、前記導入路の幅は、前記固定孔の長径より狭くなっているのが好ましい。
【００１８】
また、前記ブラケットは、略板状の平坦部と、該略板状の面の相対する縁部から一方の側に延びた一対の対向する側部とからなり、前記固定孔及び導入路は該平坦部に設けられ、前記開口部は側部の該平坦部に偏った部位に設けられていても良い。
【発明の効果】
【００１９】
本発明に係る防護柵用ブラケットは、固定孔と、開口部と、固定孔と開口部を結ぶ導入路を有しているため、固定孔にボルトを貫通せずに、ブラケット外からボルトを固定孔へ導入することができる。また、開口部は、螺合したボルト及びナットが通過可能な形状を有し、導入路はボルトの螺子部が通過可能な幅を有しているため、螺合したボルト及びナットをボルト外から固定孔へと導入することができる。
【００２０】
その結果、支柱に予めボルトを通し、ボルト及びナットを螺合し、螺合部の上方から開口部を下方にしてブラケットを下ろすだけで、ボルトを固定孔へ導入でき、その後ボルトを回すだけで支柱とブラケットの締結固定ができ、従って、支柱とブラケットの固定作業及び防護柵の設置作業が簡単、容易になり、作業効率が飛躍的に良好となる。
【００２１】
また、ナットの端部には楕円形状の段差部が設けられ、固定孔はこの段差部と合致する形状を有し、段差部と固定孔を合致させればナットを保持することができるため、ナットを指又はレンチ等で保持しなくてもボルトが空回りせずに締結固定が可能となり、支柱とブラケットの固定作業がより簡単に行うことができる。
【００２２】
このように、ブラケット固定作業及び防護柵設置作業の作業工程が単純、簡潔にできるため、作業者の手先の器用さや熟練度に関係なく、誰もが作業を行え、コスト低減、工期の短縮化に貢献することができる。
【００２３】
また、ブラケット内に指を挿入してナットを保持する必要が無いため、作業者が軍手を装着しても容易に作業することができ、作業者の怪我のおそれが無くなり、作業現場の環境を問わずに作業を行うことができる。
【００２４】
更に、従来と比べてブラケットの出幅を少なく作成することができ、支柱とビームを接近させた省スペースな防護柵を提供することができる。更に、ブラケットの出幅を少なくすることができるため、コスト低減に貢献することができる。
【発明を実施するための最良の形態】
【００２５】
本発明に係る防護柵用ブラケット２について、図を参照にしながら説明する。図１は、本発明に係る防護柵用ブラケット２を示した説明図であり、図２は、本発明に係る防護柵用ブラケット２を示した正面図である。なお、これらの図は本発明を説明するためだけのものであり、本発明を何ら限定するものではない。
【００２６】
本発明に係る防護柵用ブラケット２は、ビーム２６を挿入して固定保持可能な略筒状体になっている。図１に示されたブラケット２は、略板状の平坦部２ａと、平坦部２ａの相対する縁部から一方の側にやや開いた状態で延びた相対する一対の側部２ｂ，２ｂとからなり、側部２ｂ，２ｂの先側が湾曲して略筒状体となっている。
【００２７】
側部２ｂ，２ｂの先側の湾曲の状態はビーム２６の形状に応じて変更することが可能である。例えば、楕円形状のビーム２６を使用する場合は、その楕円形状に適合する形状にし、略角形状のビーム２６を使用する場合は、その角形状に適合する形状にしても良い。このブラケット２の材料、寸法等については、特に限定せず種々の条件を考慮して適宜設定すれば良い。
【００２８】
また、平坦部２ａには、ボルト１４を通してブラケット２を支柱２２に固定する固定孔４が設けられ、側部２ｂ，２ｂには一部を切り欠いた開口部８が設けられ、固定孔４と開口部８は導入路６によって連結されている。側部２ｂ，２ｂの先側は当接せず、少し隙間が形成されてスリット１０になっている。
【００２９】
固定孔４は、ボルト１４を通してブラケット２を支柱２２に固定する孔である。固定孔４の形状、形成位置等については、ブラケット２と支柱２２の固定位置、固定保持する状態、ボルト１４及びナット１６の形状等を考慮して、適宜設定すれば良い。
【００３０】
例えば、固定孔４の形状は、図１に示されたように、楕円形状であっても良い。この楕円形状は、図３に示されたナット１６の端部に設けられた楕円形の段差部１８と適合する形状である。この楕円形の段差部１８と固定孔４が合致することによって、ナット１６を指やレンチ等で保持せずとも固定孔４によってナット１６が保持され、ボルト１４を回しても固定孔４内でナット１６が空回りすることなく締結することができる。
【００３１】
また、本発明に係る防護柵用ブラケット２の開口部８は、側部２ｂの一部を切り欠いて形成されている。開口部８の形成位置は特に限定しないが、図１に示されたように側部２ｂの中部を切り欠いて形成されるのが良い。この開口部８の形状については特に限定しないが、螺合したボルト１４及びナット１６が通過可能な形状、大きさを有しているのが良い。
【００３２】
螺合したボルト１４及びナット１６が通過可能な形状、大きさとは、螺合したボルト１４及びナット１６の上から開口部８を被せた時にボルト１４及びナット１６が開口部８の中に入るような形状をいう。
【００３３】
また、本発明に係る防護柵用ブラケット２の導入路６は、固定孔４と開口部８を結ぶ孔であり、ブラケットの周に沿っている。導入路６の形状、形成位置についても特に限定せず、適宜設定すれば良い。また、導入路６の幅としては、支柱２２とブラケット２を固定するボルト１４の螺子部が導入路６を移動可能な程度の幅を有しているのが良い。
【００３４】
また、固定孔４の径と導入路６の幅は、固定孔４の長径をａとし、導入路６の幅をｂとした時、図２に示すように、ａ＞ｂになっている。そして、これにより、図３に示されたナット１６を使用した時、固定孔４と合致したナット１６の段差部１８は、導入路６側に外れることがなくなる。
【００３５】
また、本発明に係る防護柵用ブラケット２のスリット１０は、ブラケット２の固定孔４と対峙する位置に、ブラケット２の長手方向に向けて設けられている。また、スリット１０の幅は、ブラケット２にビーム２６を挿入して固定する時のブラケット２の可動域等を考慮して適宜設定すれば良い。
【００３６】
また、ブラケット２には相対する一対のビーム用固定孔１２が設けられている。ビーム用固定孔１２の形状、形成位置等については適宜設定すれば良いが、ブラケット２の中心軸を中心として相対する位置に形成されるのが良い。
【００３７】
次に、本発明に係る防護柵用ブラケット２を使用した防護柵２０の設置方法を図４及び図５を参照にしながら説明する。
【００３８】
まず、予め支柱２２を所定位置に設置した後、図４（１）に示されたように、支柱２２の貫通孔２４にボルト１４を貫通させ、ある程度までナット１６を螺合させる。
【００３９】
次に、図４（２）に示されたように、ブラケット２の開口部８を下方にし保持し、ブラケット２を螺合しているボルト１４及びナット１６の上方に移動させる。そのままブラケット２を下ろし、ボルト１４及びナット１６を開口部８からブラケット２内側へ導入する。更にブラケット２を下ろして、ボルト１４の螺子部が導入路６から固定孔４に移動したところでブラケット２を一端保持する。
【００４０】
次に、ナット１６の段差部１８をブラケット２の固定孔４に合致させる。これは、図５（３）に示されたように、支柱２２を貫通させたボルト１４を引き抜くか、又は、保持しているブラケット２をボルト１４に沿ってナット１６側に移動させれば良い。ナット１６の段差部１８が固定孔４と合致していない場合は、ボルト１４を若干回転させるか、又は、開口部８から指を挿入してナット１６を摘んで回転させ、段差部１８と固定孔４を合致させれる。
【００４１】
そして、図５（４）に示されたように、ブラケット２を保持したままボルト１４を回転させればナット１６が支柱２２の側に移動し、支柱２２にブラケット２が固定される。この時、ナット１６の段差部１８と固定孔４が合致して固定孔４によってナット１６が固定保持されているため、ボルト１４を回すだけでナット１６が空回りせずに締結できる。そして、ブラケット２とビーム２６を固定すれば、図７に示された様な構造となる。
【００４２】
上記作業を繰り返し、図６及び図８に示された防護柵２０を設置することができる。設置する防護柵２０を構成する支柱２２、ビーム２６、ブラケット２の数が多量になればなるほど、本発明に係る防護柵用ブラケット２を使用した場合のほうが、従来のものを使用する場合よりも作業時間が短縮される。
【００４３】
以上が本発明に係る防護柵用ブラケット２についての説明であるが、本発明の目的を逸脱しない限り、種々の条件、設定は変更が可能である。例えば、支柱２２とブラケット２を固定した後、開口部８及び導入路６に蓋をする様な何らかの補助部材を設けても良い。
【図面の簡単な説明】
【００４４】
【図１】本発明に係る防護柵用ブラケットを示した説明図である。
【図２】本発明に係る防護柵用ブラケットを示した正面図である。
【図３】本発明に係る防護柵用ブラケットと支柱の固定に使用されるボルト及びナットを示した説明図である。
【図４】本発明に係る防護柵用ブラケットと支柱の固定方法を示した説明図である。
【図５】本発明に係る防護柵用ブラケットと支柱の固定方法を示した説明図である。
【図６】本発明に係る防護柵用ブラケットを使用した防護柵を示した説明図である。
【図７】本発明に係る防護柵用ブラケットと支柱の固定状態を示した部分断面図である。
【図８】本発明に係る防護柵用ブラケットを使用した防護柵の一実施の形態を示した説明図である。
【図９】従来使用されていた防護柵用ブラケットを示した説明図である。
【符号の説明】
【００４５】
２  ブラケット
２ａ  平坦部
２ｂ  側部
４  固定孔
６  導入路
８  開口部
１０  スリット
１２  ビーム用固定孔
１４  ボルト
１６  ナット
１８  段差部
２０  防護柵
２２  支柱
２４  貫通孔
２６  ビーム
２８  ブラケット（従来使用）
２８ａ  平坦部
２８ｂ  側部
【図１】
2006241864.tif 000003
【図２】
2006241864.tif 000004
【図３】
2006241864.tif 000005
【図４】
2006241864.tif 000006
【図５】
2006241864.tif 000007
【図６】
2006241864.tif 000008
【図７】
2006241864.tif 000009
【図８】
2006241864.tif 000010
【図９】
2006241864.tif 000011